(57)【要約】【課題】専用アンテナケーブル工事を不要としたテレビ画面付無線リモコンを提供する。【解決手段】機器本体１１にテレビ放送電波受信用アンテナ２２とテレビ放送電波用チュナー２１とを、リモコン４１、５１には機器状態表示画面５５とテレビ画面５４とを備え、無線電波信号を利用して、機器１１の制御信号およびモニタ信号や、テレビ画像信号およびチュナー制御信号を同一送受信回路、同一周波数にて送受信するため、リモコンにテレビ専用アンテナケーブル工事が不要で、かつ、安価な可搬性に富むテレビ画面付無線リモコンを提供することができる。【選択図】図１
2005172370.tif 000002
【特許請求の範囲】
【請求項１】
機器本体と、これを遠隔制御または遠隔モニタするための１つまたは複数のリモコンと、前記機器本体とケーブル線で結ばれ有線式で送受信し、前記リモコンとは無線電波で送受信する中継機と、前記機器本体にテレビ放送電波受信用アンテナとテレビ放送電波用チュナーとを備え、前記リモコンには機器状態表示画面とテレビ画面とをもち、前記中継機と前記リモコンの間を、前記機器の制御信号およびモニタ信号とテレビ画像信号およびチュナー制御信号とを同一送受信回路、同一周波数帯にて送受信することを特徴とする住宅設備機器。
【請求項２】
機器状態表示画面とテレビ画面とを同一画面とし、リモコンに設けたスイッチにて画面表示内容を相互に切り換えることを特徴とする請求項１記載の住宅設備機器。
【請求項３】
機器状態表示画面とテレビ画面とを同一画面とし、テレビ画面上の一部に備機器状態表示を文字情報で表示することを特徴とする請求項１または２記載の住宅設備機器。
【請求項４】
リモコンに設けたスイッチで機器状態表示文字をテレビ画面上でＯＮ／ＯＦＦできることを特徴とする請求項３記載の住宅設備機器。
【請求項５】
テレビ画面のみ表示している状態で、機器の特定の状態を一定の時間のみ、表示させることを特徴とする請求項２記載の住宅設備機器。
【請求項６】
テレビ画面のみ表示している状態で、機器の運転状態変化が発生した場合、音声でその状態変化内容を報知することを特徴とする請求項２記載の住宅設備機器。
【請求項７】
テレビ画面のみ表示している状態で、機器の運転状態変化が発生した場合、リモコンに設けたスイッチで、テレビ画面上の一部に機器状態表示を文字情報で表示するか、音声でその状態変化内容を報知するかの切り換えができることを特徴とする請求項５または６記載の住宅設備機器。
【請求項８】
機器からリモコンへ送受信する信号の内、機器の制御信号とモニタ信号とを機器用同一周波数帯とし、かつ、チュナー制御信号とテレビ画像信号とを機器用周波数とは別なテレビ用同一周波数帯にて送受信することを特徴とする請求項１〜５のいずれか１項記載の住宅設備機器。
【請求項９】
中継機にテレビ放送電波受信用アンテナとテレビ放送電波用チュナーとを備えたことを特徴とする請求項１〜６のいずれか１項記載の住宅設備機器。
【請求項１０】
テレビ放送電波受信用アンテナに代えて、アンテナ用ケーブル接続端子を備えたことを特徴とする請求項１〜７のいずれか１項記載の住宅設備機器。
【発明の詳細な説明】
【技術分野】
【０００１】
本発明は、無線電波信号を利用して住宅設備機器本体と通信を行うリモコンにおいて、そのリモコンにテレビ画面をもち、住宅設備機器の制御信号およびモニタ信号や、テレビ画像信号およびチュナー制御信号の送受信に関するものである。
【背景技術】
【０００２】
従来、この種の住宅設備機器は、住宅設備機器の制御信号およびモニタ信号について、リモコンとの通信を無線電波信号を利用しているものがあった（例えば、特許文献１参照）。
【０００３】
図１２は、前記特許文献１に記載された従来の給湯装置を示すものである。図１２に示すように、給湯機１１の内部の給湯制御器１２が給湯機有線送受信器１７を介して中継機３１とケーブル線１８で接続されており、中継機３１は台所や浴室に設置されたリモコン４１、５１と、給湯機１１の制御信号およびモニタ信号について、中継機無線送受信器３３で作成した電波信号を中継機アンテナ３２を介して、リモコンアンテナ４２、５２で受信してリモコン無線送受信器４３、５３で信号変換するという形態で、無線電波信号を利用して通信するようになっていた。
【特許文献１】特開平５−１１５０８６号公報
【発明の開示】
【発明が解決しようとする課題】
【０００４】
しかしながら、従来の住宅設備機器では、リモコンにテレビ画面を有する場合、テレビ放送の画像信号を台所や浴室といった室内に設置されたリモコンで直接受信することは、画像や音声の品質上、困難なので、リモコンにテレビ専用アンテナケーブル工事を施さなければならず、ケーブル工事不要、かつ、可搬性に富むという無線リモコンの特長が発揮できないという課題を有していた。
【０００５】
本発明は、前記従来の課題を解決するもので、専用アンテナケーブル工事を不要としたテレビ画面付無線リモコンを提供することを目的とする。
【課題を解決するための手段】
【０００６】
前記従来の課題を解決するために、本発明の住宅設備機器は、機器本体とケーブル線で結ばれ有線式で送受信する中継機と、機器状態表示画面とテレビ画面とをもつリモコンとの間を、機器の制御信号およびモニタ信号とテレビ画像信号およびチュナー制御信号とを同一周波数帯にて送受信するようにしたものである。
【０００７】
これによって、屋外に設置された機器に設けたアンテナよりテレビ放送信号を良好に受信でき、かつ、機器の制御信号およびモニタ信号とテレビ画像信号およびチュナー制御信号とを同一周波数帯にて送受信することで、無線送受信回路の簡素化が図れる。
【発明の効果】
【０００８】
以上のように本発明によれば、リモコンにテレビ専用アンテナケーブル工事が不要となるので、可搬性に富むテレビ画面付無線リモコンが提供できるという有利な効果を有するとともに、機器の制御信号およびモニタ信号とテレビ画像信号およびチュナー制御信号とを同一周波数帯にて送受信するため、無線送受信回路の簡素化が図れ、比較的安価にリモコンにテレビ機能を付加することができる。
【発明を実施するための最良の形態】
【０００９】
第１の発明は、機器本体と、これを遠隔制御または遠隔モニタするための１つまたは複数のリモコンと、機器本体とケーブル線で結ばれ有線式で送受信し、前記リモコンとは無線電波で送受信する中継機と、機器本体にテレビ放送電波受信用アンテナとテレビ放送電波用チュナーとを備え、前記リモコンには機器状態表示画面とテレビ画面とをもち、前記中継機と前記リモコンの間を機器の制御信号およびモニタ信号とテレビ画像信号およびチュナー制御信号とを同一周波数帯にて送受信することを特徴としたもので、屋外に設置された前記機器本体のテレビ放送電波受信用アンテナより良好なテレビ放送電波が受信でき、それを前記テレビ放送電波用チュナーと前記中継機を介して前記リモコンに、前記機器の制御信号およびモニタ信号と同一周波数帯にて電波送信することで、前記中継機と前記リモコンの簡素な無線送受信回路で、リモコンにテレビ専用アンテナケーブル工事が不要な可搬性に富むテレビ画面付無線リモコンを提供することができる。
【００１０】
第２の発明は、リモコンに備えた機器状態表示画面とテレビ画面とを同一画面とし、前記リモコンに設けたスイッチにて画面表示内容を相互に切り換えることにより、リモコンに搭載される画面が単一となり、その画面を比較的大きくでき、リモコンそのものを安価とすることができる。
【００１１】
第３の発明は、テレビ画面上の隅に機器状態表示を文字情報にて表示することにより、煩雑な画面切り換えのスイッチを操作しなくても、テレビ画面表示中に機器の運転状態を確認することができる。
【００１２】
第４の発明は、リモコンに設けたスイッチにて機器状態表示文字をテレビ画面上でＯＮ／ＯＦＦできるようにすることにより、テレビ視聴中に邪魔となる機器状態表示文字を任意に表示しなくすることができる。
【００１３】
第５の発明は、テレビ画面のみ表示している状態で、機器の特定の状態を一定の時間のみ、表示させることにより、テレビ視聴中であっても、機器の運転上で使用者に注意喚起すべき情報を伝達することができる。
【００１４】
第６の発明は、テレビ画面のみ表示している状態で、機器の運転状態変化が発生した場合、音声でのみその状態変化内容を報知させることにより、テレビ視聴中であっても、画面上の変化なく給湯機の運転状態変化について使用者に注意喚起することができる。
【００１５】
第７の発明は、リモコンに設けたスイッチにて、機器の運転状態変化が発生した場合、テレビ画面上の一部に機器状態表示を文字情報にて表示するか、音声でその状態変化内容を報知するかの切り換えができるようにすることで、テレビ放送番組の内容によってテレビ画面の一部に表示させるか、音声でその状態変化内容を報知させるかの選択ができ、テレビ放送番組の内容に邪魔となることなく、機器の運転状態変化について使用者に注意喚起することができる。
【００１６】
第８の発明は、機器からリモコンへ送受信する信号の内、機器の制御信号とモニタ信号とを機器用同一周波数帯とし、かつ、チュナー制御信号とテレビ画像信号とを前記機器用周波数とは別なテレビ用同一周波数帯にて送受信することで、テレビ画面表示中に機器の制御信号とモニタ信号の送受信があっても、テレビ画面や音声の乱れ、画像の停止や音声の途切れをなくすことができる。
【００１７】
第９の発明は、中継機にテレビ放送電波受信用アンテナとテレビ放送電波用チュナーとを備えることで、屋内に設置された機器や屋外でもテレビ放送電波が良好に受信できない設置状態の機器であっても、中継機のみをテレビ放送電波が良好に受信できる位置へ移動することで、良好なテレビ放送を受信することができる。
【００１８】
第１０の発明は、テレビ放送電波受信用アンテナに代えて、アンテナ用ケーブル接続端子を備えることで、家屋の屋根や屋上に設置されたテレビ放送受信用アンテナからケーブルにて分配接続でき、良好なテレビ放送電波を受信できるだけでなく、機器としてはテレビ受信用アンテナを必要とせず、安価とすることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における住宅設備機器のシステム構成図であり、住宅設備機器として給湯装置を用いた場合を示す。なお、従来技術を示す図１２と同じ構成要素については同じ符号を用い、説明を省略する。
【００２１】
図１において、給湯機１１の内部にチュナー２１が設けられており、チュナー２１にテレビ専用アンテナ２２が接続され、テレビ専用アンテナ２２の大部分は給湯機１１の外部に突出している。また、浴室リモコン５１にはテレビ画面５４とモニター画面５５が設けられている。
【００２２】
このような構成によれば、給湯機１１と浴室リモコン５１の間の通信回路を複数設けることなく、テレビ放送を浴室リモコン５１で視聴することができる。
【００２３】
給湯機１１の運転状態を給湯制御器１２は給湯機有線送受信器１７に伝達し、ケーブル線１８を介して中継機有線送受信器３５へ通信する。これを受けて中継機３１は中継機無線送受信器３３で電波信号へ変換し、中継機アンテナ３２より浴室リモコンアンテナ５２へとある特定周波数で電波送信する。この電波信号を浴室リモコン５１は浴室リモコンアンテナ５２で受け、浴室リモコン無線送受信器５３で信号変換し、モニター画面５５に給湯機１１の運転状態を表示する。また、浴室リモコン５１において、例えば、給湯温度設定が変更されると、モニター画面５５にその変更温度設定を表示するとともに、給湯温度設定変更という情報が上記と逆の経路で給湯制御器１２へ伝達される。
【００２４】
ここまでは従来の給湯機と同じであるが、これに加えて、テレビ専用アンテナ２２で受信したテレビ放送信号もチュナー２１にて選局され給湯機有線送受信器１７に伝達し、ケーブル線１８を介して中継機有線送受信器３５へ通信する。これを受けて中継機３１は中継機無線送受信器３３で電波信号へ変換し、中継機アンテナ３２より浴室リモコンアンテナ５２へ上記と同じ特定周波数で電波送信する。この電波信号を浴室リモコン５１は浴室リモコンアンテナ５２で受け、浴室リモコン無線送受信器５３で信号変換し、テレビ画面５４にテレビ放送画面を表示することができる。
【００２５】
また、浴室リモコン５１で、例えば、テレビ放送の選局変更操作をされると、上記と逆の経路でチュナー２２へ伝達され、選局変更をすることができる。このようにすることで、給湯機１１と浴室リモコン５１の間の通信回路を単一簡素な回路とすることができるばかりでなく、リモコンにテレビ専用アンテナケーブル工事が不要で、かつ、可搬性に富む浴室リモコン５１が提供できる。
【００２６】
なお、本実施の形態において、給湯機１１の運転状態を表示させるものをモニター画面５５としたが、ＬＥＤランプや液晶表示素子としても良い。また、テレビ画面５４を浴室リモコンでのみ設けたが、台所リモコン４１内に設けても良い。
【００２７】
（実施の形態２）
図２は、本発明の実施の形態２における給湯装置のシステム構成図である。図２において、実施の形態１と同じ構成要素については同じ符号を用い、説明を省略する。
【００２８】
図２において、浴室リモコン５１にモニター画面はなく、表示切換スイッチ５６が設けられている。
【００２９】
このような構成によれば、表示切換スイッチ５６を操作することにより、テレビ画面５４に給湯機１１の運転情報を表示させるか、テレビ放送を表示させるかの切り換えができ、表示画面をひとつとすることができ、その画面を比較的大きくとることができ、浴室リモコン５１そのものを安価とすることができる。
【００３０】
なお、本実施の形態において、表示切換スイッチ５６とテレビ画面５４を浴室リモコンでのみ設けたが、台所リモコン４１内に設けても良い。
【００３１】
（実施の形態３）
図３は、本発明の実施の形態３における給湯装置のシステム構成図である。図３において、実施の形態１及び２と同じ構成要素については同じ符号を用い、説明を省略する。
【００３２】
図３において、浴室リモコン５１にはテレビ画面５４はあるが、モニター画面も表示切換スイッチもない。その画面構成としては、図４に示すように、テレビ画面５４の右下方隅に、運転状態表示５４ａ、給湯温度表示５４ｂ、燃焼表示５４ｃが、テレビ放送画面が表示されているかどうかにかかわらず常時表示されている。このようにすれば、表示画面をひとつとし、かつ、表示切換スイッチも不要とし、煩雑な表示切換スイッチの操作をしなくても、テレビ放送画面表示中に給湯機の運転状態を確認することができる。
【００３３】
なお、本実施の形態において、運転状態表示５４ａ、給湯温度表示５４ｂ、燃焼表示５４ｃを表示させるのはテレビ画面５４の右下方隅としたが、これらの表示場所はテレビ画面５４内のどこであってもかまわない。
【００３４】
（実施の形態４）
図５は、本発明の実施の形態４における給湯装置のシステム構成図である。図５において、実施の形態１から３と同じ構成要素については同じ符号を用い、説明を省略する。
【００３５】
図５において、浴室リモコン５１には給湯機運転状態表示スイッチ５７が設けられている。
【００３６】
このような構成によれば、給湯機運転状態表示スイッチ５７を操作することにより、テレビ放送視聴時に邪魔となるテレビ画面５４の隅の給湯機１１の運転情報を、表示させるか、させないかの切り換えをすることができる。
【００３７】
なお、本実施の形態において、給湯機運転状態表示スイッチ５７とテレビ画面５４を浴室リモコンでのみ設けたが、台所リモコン４１内に設けても良い。
【００３８】
（実施の形態５）
図６は、本発明の実施の形態５におけるテレビ画面５４の表示形態を示す図である。
【００３９】
図６において、運転状態表示５４ａ、給湯温度表示５４ｂ、燃焼表示５４ｃが表示されるのは、給湯機１１の運転状態が変化した数秒間だけ表示され、運転状態の変化がなければ、これら表示は自動的に消えることで、給湯機運転状態表示スイッチがなくても、テレビ放送視聴時に邪魔となる運転状態表示５４ａ、給湯温度表示５４ｂ、燃焼表示５４ｃの表示を出なくすることができ、かつ、給湯機１１の運転状態が変化したことを使用者に注意喚起することができる。
【００４０】
なお、本実施の形態において、運転状態表示５４ａ、給湯温度表示５４ｂ、燃焼表示５４ｃが表示されるのは、給湯機１１の運転状態が変化した数秒間だけとしたが、運転状態変化が発生しなくても、定期的に表示してもかまわない。
【００４１】
（実施の形態６）
図７は、本発明の実施の形態６における給湯装置のシステム構成図である。図７において、実施の形態１から５と同じ構成要素については同じ符号を用い、説明を省略する。
【００４２】
図７において、浴室リモコン５１にはスピーカー５８が設けられており、給湯機１１の運転状態が変化した時、たとえば、台所リモコン４１で温度設定が６０℃に変更されたとき、その情報が実施の形態１に記載の経路で台所リモコン４１から給湯制御器１２に伝達され、また、それが浴室リモコン５１にも伝達され、スピーカー５８より「あついお湯が出ます」と音声で報知される。
【００４３】
このような構成によれば、テレビ放送視聴時に邪魔となる給湯機１１の運転状態表示を出すことなく、使用者に注意喚起することができる。
【００４４】
なお、本実施の形態において、スピーカー５８より音声報知されるのは、台所リモコン４１で温度設定が変更されたときとしたが、たとえば、給湯機１１で故障が発生したときや浴室リモコン５１そのもので温度設定が変更された場合でもよい。
【００４５】
（実施の形態７）
図８は、本発明の実施の形態７における給湯装置のシステム構成図である。図８において、実施の形態１から６と同じ構成要素については同じ符号を用い、説明を省略する。
【００４６】
図８において、浴室リモコン５１にはスピーカー５８の他に、報知切換スイッチ５９が設けられている。
【００４７】
報知切換スイッチ５９を操作することで、給湯機１１の運転状態変化が発生した場合、実施の形態５のようにテレビ画面上の一部に給湯機状態表示を文字にて表示するか、実施の形態６のように音声でのみその状態変化内容を報知するかの切り換えができる。
【００４８】
このような構成によれば、使用者は視聴するテレビ放送番組によって、たとえば、音楽番組ならテレビ画面の一部に文字にて表示、スポーツ番組なら音声で報知というふうに、好みによって選択することができる。
【００４９】
（実施の形態８）
図９は、本発明の実施の形態８における給湯装置のシステム構成図である。図９において、実施の形態１から７と同じ構成要素については同じ符号を用い、説明を省略する。
【００５０】
図９において、中継機３１には中継機無線送受信器３３と中継機アンテナ３２とは別にテレビ信号用中継機無線送受信器３６とテレビ信号用中継機アンテナ３７が設けられており、浴室リモコン５１には浴室リモコンアンテナ５２と浴室リモコン無線送受信器５３とは別にテレビ信号用浴室リモコン無線送受信器６０とテレビ信号用浴室リモコンアンテナ６１が設けられている。
【００５１】
中継機無線送受信器３３から中継機アンテナ３２を介して、浴室リモコンアンテナ５２、浴室リモコン無線送受信器５３へ電波送受信されるのは、給湯機１１の運転状態情報の信号と制御信号だけであり、この送受信周波数とは別の周波数にて、テレビ信号用中継機無線送受信器３６からテレビ信号用中継機アンテナ３７を介して、テレビ信号用浴室リモコンアンテナ６１、テレビ信号用浴室リモコン無線送受信器６０へとテレビ画像信号およびチュナー制御信号が送受信される。
【００５２】
このような構成によれば、給湯機１１の運転状態情報信号および制御信号とテレビ画像信号およびチュナー制御信号の送受信周波数が異なるため、信号の相互干渉が発生しないので、テレビ視聴中に給湯機１１の運転状態情報の信号の送受信のための画像の乱れや音声の途切れがなく、良好なテレビ放送が視聴できる。
【００５３】
なお、本実施の形態において、中継機アンテナ３２とテレビ信号用中継機アンテナ３７、また、浴室リモコンアンテナ５２とテレビ信号用浴室リモコンアンテナ６１をそれぞれ別々のものとしたが、周波数の異なる信号をどちらもカバーできる範囲であれば、アンテナはそれぞれ兼用としても構わない。
【００５４】
（実施の形態９）
図１０は、本発明の実施の形態９における給湯装置のシステム構成図である。図１０において、実施の形態１から８と同じ構成要素については同じ符号を用い、説明を省略する。
【００５５】
図１０において、給湯機１１の内部にはチュナー２１とテレビ専用アンテナ２２は設けられておらず、中継機３１の内部にチュナー２１が設けられており、そのチュナー２１にテレビ専用アンテナ２２が接続され、中継機３１の外部に突出している。
【００５６】
このような構成によれば、給湯機１１が強制給排気式の屋内設置の場合や、屋外設置であっても隣家の影になってテレビ放送電波が良好に受信できない設置状態の場合でも、中継機３１のみをテレビ放送電波が良好に受信できる位置へ移動することで、良好なテレビ放送を受信することができ、それを中継機有線送受信器３５、中継機無線送受信器３３、中継機アンテナ３２、浴室リモコンアンテナ５２、浴室リモコン無線送受信器５３を介して、テレビ画面５４にテレビ放送映像を映すことができる。
【００５７】
（実施の形態１０）
図１１は、本発明の実施の形態１０における給湯装置のシステム構成図である。図１１において、実施の形態１〜９と同じ構成要素については同じ符号を用い、説明を省略する。
【００５８】
図１１において、給湯機１１の内部にはチュナー２１が設けられているが、テレビ専用アンテナ２２は設けられておらず、代わりにテレビアンテナケーブル２３を介してテレビアンテナ接続端子２４が設けられている。
【００５９】
このような構成によれば、家屋の屋根や屋上に設置されたテレビ放送受信用アンテナからアンテナケーブルにて分配接続でき、良好なテレビ放送電波を受信できるだけでなく、給湯機１１としてはテレビ受信用アンテナを必要とせず、安価とすることができる。
【００６０】
なお、本実施の形態において、チュナー２１からテレビアンテナケーブル２３を介してテレビアンテナ接続端子２４が設けられているのは給湯機１１の内部としたが、実施の形態９のように、中継機３１の内部にチュナー２１を設け、テレビアンテナケーブル２３を介してテレビアンテナ接続端子２４を中継機３１に設けても構わない。
【産業上の利用可能性】
【００６１】
以上のように、本発明にかかる住宅設備機器は、無線電波信号を利用して、住宅設備機器の制御信号およびモニタ信号や、テレビ画像信号およびチュナー制御信号を同一送受信回路、同一周波数にて送受信が可能となるので、リモコンにテレビ専用アンテナケーブル工事が不要で、かつ、安価な可搬性に富むテレビ画面付無線リモコンを提供することができるため、機器本体を屋外に設置して利用する住宅設備機器全般、例えばエアコン、電気温水器、ヒートポンプ給湯機等に適用することができる。
【図面の簡単な説明】
【００６２】
【図１】本発明の実施の形態１における給湯装置のシステム構成図
【図２】本発明の実施の形態２における給湯装置のシステム構成図
【図３】本発明の実施の形態３における給湯装置のシステム構成図
【図４】同給湯装置のテレビ画面の表示形態を示す図
【図５】本発明の実施の形態４における給湯装置のシステム構成図
【図６】本発明の実施の形態５におけるテレビ画面の表示形態を示す図
【図７】本発明の実施の形態６における給湯装置のシステム構成図
【図８】本発明の実施の形態７における給湯装置のシステム構成図
【図９】本発明の実施の形態８における給湯装置のシステム構成図
【図１０】本発明の実施の形態９における給湯装置のシステム構成図
【図１１】本発明の実施の形態１０における給湯装置のシステム構成図
【図１２】従来の給湯装置のシステム構成図
【符号の説明】
【００６３】
１１  給湯機（機器本体）
１２  給湯制御器
１７  給湯機有線送受信器
２１  チュナー
２２  テレビ専用アンテナ
３１  中継機
３２  中継機アンテナ
３３  中継機無線送受信器
４１  台所リモコン
５１  浴室リモコン
５２  浴室リモコンアンテナ
５３  浴室リモコン無線送受信器
５４  テレビ画面
５５  モニター画面
【図１】
2005172370.tif 000003
【図２】
2005172370.tif 000004
【図３】
2005172370.tif 000005
【図４】
2005172370.tif 000006
【図５】
2005172370.tif 000007
【図６】
2005172370.tif 000008
【図７】
2005172370.tif 000009
【図８】
2005172370.tif 000010
【図９】
2005172370.tif 000011
【図１０】
2005172370.tif 000012
【図１１】
2005172370.tif 000013
【図１２】
2005172370.tif 000014